(57)【要約】【課題】本発明は、キャビネット内の空間を占拠しないディスプレイを備え、且つコストが低いキャビネットを提供することを目的とする。【解決手段】本発明に係るキャビネットは、本体と、本体の１つの側面に設置された開閉可能なドアと、１つの回転可視装置と、を備え、前記回転可視装置は１つのディスプレイと、前記ディスプレイを前記ドアに回転可能に装着する１つの回転部材と、を備え、前記回転部材は回転により、前記ディスプレイを連動して、前記ディスプレイを前記扉に対して所定の角度に回転させる。【選択図】図１
2012252692.tif 000002
【特許請求の範囲】
【請求項１】
本体と、本体の１つの側面に設置された開閉可能な扉と、１つの回転可視装置と、を備えてなるキャビネットであって
前記回転可視装置は１つのディスプレイと、前記ディスプレイを前記扉に回転可能に装着する１つの回転部材と、を備え、前記回転部材の回転により、前記ディスプレイを連動させて、前記ディスプレイを前記扉に対して所定の角度に回転することを特徴とするキャビネット。
【請求項２】
前記扉上には、１つの中空な中空部が設けられ、前記回転可視装置は前記中空部内に設置され、前記回転部材は、１つの連動軸と、１つの駆動軸と、１つの電動機と、を備え、前記連動軸の２つの側端は、回転可能に前記ディスプレイの１つの側端及び前記扉の前記中空部の１つの側壁にそれぞれ連接され、前記電動機の１つの側壁は、前記中空部のもう１つの側壁に設置され、前記電動機の自由端は、前記駆動軸の１つの側端に連接され、前記駆動軸のもう１つの側端は、前記ディスプレイのもう１つの側端に連接され、前記電動機は、前記駆動軸を回転して、前記連動軸及び前記ディスプレイを連動させることを特徴とする請求項１に記載のキャビネット。
【請求項３】
前記ディスプレイ上には、電源スイッチ及び回転角度を調整するボタンが設置されていることを特徴とする請求項２に記載のキャビネット。
【請求項４】
前記ディスプレイはタッチパネルであることを特徴とする請求項２に記載のキャビネット。
【請求項５】
前記ディスプレイには制御回路が設けられ、前記制御回路は１つの中央処理装置を備え、前記中央処理装置は、電動機に制御信号を送信して、前記電動機の起動及び制動をコントロールすることを特徴とする請求項２に記載のキャビネット。
【請求項６】
前記制御回路には、更に、１つの記憶ユニットが設けられ、前記記憶ユニットは、前記中央処理装置の処理情報を記録することを特徴とする請求項５に記載のキャビネット。
【発明の詳細な説明】
【技術分野】
【０００１】
本発明は、キャビネットに関し、特に回転可視装置を備えたキャビネットに関するものである。
【背景技術】
【０００２】
従来の技術において、キャビネット内には、一組のディスプレイとキーボード及びマウスが収容され、１つのＣＰＵ切替器を通じて該キャビネット内のサーバー及び他の電子部品に接続されている。そして、ユーザーは該一組のディスプレイとキーボード及びマウスを利用して、前記サーバー及び前記他の電子部品に対する点検を行う。しかし、これらの装置を共にキャビネット内に収容すれば、キャビネット内の空間の大部分が占拠され、キャビネット自身の体積も大きくなってしまう。また、もし体積の小さい集積型のＣＰＵ切替器を使用した場合、費用がかかる。また、前記キャビネット内の設備を点検する場合、キャビネットの扉を必ず開けなければならず、多くのキャビネットがある場合、時間を費やす。
【発明の概要】
【発明が解決しようとする課題】
【０００３】
本発明の目的は、前記課題を解決し、キャビネット内の空間を占拠しないディスプレイを備え、且つコストが低いキャビネットを提供することである。
【課題を解決するための手段】
【０００４】
上記目的を達成するために、本発明に係るキャビネットは、本体と、本体の１つの側面に設置された開閉可能な扉と、１つの回転可視装置と、を備え、前記回転可視装置は１つのディスプレイと、前記ディスプレイを前記扉に回転可能に装着する１つの回転部材と、を備え、前記回転部材の回転により、前記ディスプレイを連動させて、前記ディスプレイを前記扉に対して所定の角度に回転させる。
【発明の効果】
【０００５】
本発明に係るキャビネットは、前記ディスプレイが外側に面しているため、前記キャビネットの外から、その内部を監視できると共に、手動又は電動によって前記ディスプレイを回転させて、前記キャビネット内のサーバー或いは他の電子部品に対する操作もできるため、非常に便利である。また、前記回転可視装置は、前記キャビネットの前記扉に設置されるため、前記キャビネット内の空間を占拠しない。
【図面の簡単な説明】
【０００６】
【図１】本発明の実施形態に係るキャビネットの扉が閉じている状態を示す斜視図である。
【図２】図１に示すキャビネットの扉を開けた際の、回転可視装置の回転状態を示す図である。
【図３】図２に示す回転可視装置が回転していない状態を示す図である。
【図４】図２に示す回転可視装置内に設けられる制御回路のブロック図である。
【発明を実施するための形態】
【０００７】
図１〜図３に示したように、本発明の実施形態に係るキャビネット１００は、１つの直方体の本体１０と、前記本体１０の１つの側面に設置された１つの扉２０と、前記扉２０に回転可能に装着された１つの回転可視装置３０と、を備える。また、前記本体１０内には、様々な電子設備（図示せず）を備える。
【０００８】
前記扉２０は、上部２２と、底部２６と、前記上部２２と底部２６との間に位置する中空な中空部２４と、を備える。前記上部２２及び底部２６は、それぞれ透明ガラス或いはプラスチック又は金属材料からなる板である。前記中空部２４内には、前記回転可視装置３０が設置される。
【０００９】
前記回転可視装置３０は、１つのディスプレイ３２と、前記ディスプレイ３２に接続され、且つ前記ディスプレイ３２を前記中空部２４内に回転可能に装着する回転部材３１とを備える。前記回転部材３１は、１つの連動軸３４と、１つの駆動軸３６と、１つの電動機３８と、を備える。図１に示したように、前記ディスプレイ３２の上部には、電源スイッチ３２２及びボタン３２４が設置される。
【００１０】
前記回転可視装置３０を前記キャビネット１００に組み立てる際、先ず、前記回転可視装置３０の前記ディスプレイ３２を、前記キャビネット１００の前記扉２０の前記中空部２４内に設置する。この時、前記回転可視装置３０の前記連動軸３４の２つの側端は、回転可能に前記ディスプレイ３２の１つの側端及び前記扉２０の前記中空部２４の１つの側壁にそれぞれ連接される。前記電動機３８の１つの側端は、前記中空部２４のもう１つの側壁に設置され、前記電動機３８の自由端は、前記駆動軸３６の１つの側端に連接される。前記駆動軸３６のもう１つの側端は、前記ディスプレイ３２のもう１つの側端に連接される。この時、前記ディスプレイ３２のモニター部分は、前記扉２０の外側に面する（図１参照）。従って、ユーザーは前記扉２０を開けずとも、前記キャビネット１００の外で、前記ディスプレイ３２を介して、前記キャビネット１００内のサーバー或いは他の電子部品を監視できる。
【００１１】
図４に示したように、前記ディスプレイ３２内には、集積型制御回路が設けられ、該制御回路は、前記ディスプレイ３２内に設置される１つの中央処理装置（ＣＰＵ）と、１つの記憶ユニットと、を備える。ユーザーは、前記キャビネット１００内の電子設備に対して修理などが必要な場合は、先ず、前記扉２０を開けて、前記電源スイッチ３２２をオンにした後、該扉２０を開けたまま前記ディスプレイ３２の上部に設置されている前記ボタン３２４を押して、コマンドを前記中央処理装置に送信する。次いで、前記中央処理装置は受信したコマンドを処理した後、制御信号を前記電動機３８に送信して、前記電動機３８の起動及び制動をコントロールする。前記電動機３８は、前記駆動軸３６を連動させて、前記ディスプレイ３２をコマンドが要求する角度に回転させる。例えば、前記ボタン３２４の押す回数が増えるごとに、前記ディスプレイ３２は、３０度、６０度、１２０度、１８０度、３６０度まで回転する。従って、ユーザーは、前記ディスプレイ３２を見ながら、サーバー或いは他の電子部品の修理などの操作を行うことができる。これらの操作に備えて、キーボード及びマウス（図示せず）は、キャビネット１００内に置かれる。また、回転角度は、本実施形態に限定されない。
【００１２】
また、前記記憶ユニットは、前記中央処理装置が毎回処理する信号を記録し、以後修理等で前記電源スイッチ３２２を再度オンにした際に、前記中央処理装置が新しいコマンドを受信しない場合、前記中央処理装置は自動的に前記記憶ユニットから前回の動作情報を読み取って処理した後、前記ディスプレイ３２を前回の角度まで回転させる。
【００１３】
本実施形態の前記駆動軸３６は、前記ディスプレイ３２と連接された側端と離れたもう１つの側端には歯車（図示せず）が設けられ、前記駆動軸３６の歯車は、前記電動機３８にも設置されている歯車（図示せず）と合わされ、前記駆動軸３６を回転させることによって、前記連動軸３４及び前記ディスプレイ３２を連動させる。
【００１４】
他の実施形態において、前記ディスプレイ３２はタッチパネルであり、ユーザーは、前記タッチパネルを操作して、コマンドを前記電動機３８に送信し、前記電動機３８の起動及び制動をコントロールする。
【００１５】
他の実施形態において、手動で前記駆動軸３６を回転させた後、前記連動軸３４及び前記ディスプレイ３２を連動させて、前記ディスプレイ３２の回転角度を調整しても良い。
【００１６】
他の実施形態において、ユーザーが容易に前記ディスプレイ３２の画面を閲覧できるように、前記ディスプレイ３２内には、重力感知システムが設けられている。これにより、前記扉２０を開けた際に、前記ディスプレイ３２が前記扉２０の内側に面するように回転しても、前記画面は自動的に鏡像反転した後、画面を修正する。
【００１７】
本発明に係るキャビネット１００は、前記ディスプレイ３２が外側に面しているため、前記キャビネット１００の外から、その内部を監視できると共に、手動又は電動によって前記ディスプレイ３２を回転させて、前記キャビネット１００内のサーバー或いは他の電子部品に対する操作もできるため、非常に便利である。また、前記回転可視装置は、前記キャビネット１００の前記扉２０に設置されるため、前記キャビネット１００内の空間を占拠しない。
【００１８】
以上、本発明を実施形態に基づいて具体的に説明したが、本発明は、上述の実施形態に限定されるものではなく、その要旨を逸脱しない範囲において、種種の変更が可能であることは勿論であって、本発明の技術的範囲は、添付の特許請求の範囲から決まる。
【符号の説明】
【００１９】
１００  キャビネット
１０  本体
２０  扉
２２  上部
２４  中空部
２６  底部
３０  回転可視装置
３１  回転部材
３２  ディスプレイ
３２２  電源スイッチ
３２４  ボタン
３４  連動軸
３６  駆動軸
３８  電動機
【図１】
2012252692.tif 000003
【図２】
2012252692.tif 000004
【図３】
2012252692.tif 000005
【図４】
2012252692.tif 000006